(57)【要約】【課題】同時使用される複数の電子機器を操作する場合において、ユーザの手間を更に省くことができる機器操作装置を提供する。【解決手段】映像表示機器３００の操作に用いられ、映像表示機器３００とは別体の機器操作装置１００Ａが、映像表示機器３００に対する電源オン／オフ指令ＯＵＴと、周辺機器２００に対する電源オン／オフ指令ＩＮとを記憶し、周辺機器２００用のリモコン２０から周辺機器２００に対して無線で送信される信号を受信し、赤外線受信部１１０Ａが周辺機器２００用のリモコン２０から受信した信号から電源オン／オフ指令ＩＮを検出した場合、電源オン／オフ指令ＯＵＴを映像表示機器３００に送信する。【選択図】図１
2011071664.tif 000002
【特許請求の範囲】
【請求項１】
第１の電子機器の操作に用いられ、前記第１の電子機器とは別体の機器操作装置であって、
前記第１の電子機器に対する操作の指令である第１の操作指令と、前記第１の電子機器と同時使用される第２の電子機器に対する操作の指令である第２の操作指令とを記憶する記憶部と、
前記第２の電子機器用のリモートコントローラから前記第２の電子機器に対して無線で送信される信号を受信する受信部と、
前記記憶部を参照して、前記受信部が前記第２の電子機器用のリモートコントローラから受信した信号から前記第２の操作指令を検出する検出部と、
前記検出部が前記第２の操作指令を検出した場合、前記記憶部に記憶されている前記第１の操作指令を前記第１の電子機器に送信する送信部と
を備えることを特徴とする機器操作装置。
【請求項２】
前記送信部は、前記第１の電子機器に対して前記第１の操作指令を無線で送信することを特徴とする請求項１に記載の機器操作装置。
【請求項３】
前記第１の操作指令は、前記第１の電子機器の電源を投入と遮断とで切り換える操作の指令であり、
前記第２の操作指令は、前記第２の電子機器の電源を投入と遮断とで切り換える操作の指令であることを特徴とする請求項１又は２に記載の機器操作装置。
【請求項４】
前記機器操作装置は、前記第１の電子機器及び前記第２の電子機器のそれぞれと別体に構成されることを特徴とする請求項１〜３の何れか一項に記載の機器操作装置。
【請求項５】
前記機器操作装置は、前記第１の電子機器とは別体であって、且つ、前記第２の電子機器に内蔵されていることを特徴とする請求項１〜３の何れか一項に記載の機器操作装置。
【請求項６】
それぞれユーザによってオン状態とオフ状態とが切り換えられる第１のスイッチ部及び第２のスイッチ部を備え、
前記記憶部は、前記第１のスイッチ部がオン状態である期間において前記受信部が前記第１の電子機器用のリモートコントローラから受信した信号を前記第１の操作指令として記憶し、前記第２のスイッチ部がオン状態である期間において前記受信部が前記第２の電子機器用のリモートコントローラから受信した信号を前記第２の操作指令として記憶することを特徴とする請求項１〜５の何れか一項に記載の機器操作装置。
【発明の詳細な説明】
【技術分野】
【０００１】
本発明は、電子機器の操作に用いられる機器操作装置に関する。
【背景技術】
【０００２】
映像表示機器（例えばテレビ受像機）又はその周辺機器（例えばテレビチューナ）等の電子機器は、当該電子機器とは別体のリモートコントローラ（いわゆる、リモコン）を用いて操作されることが一般的である。リモコンは、赤外線信号又は電波信号等の信号により操作指令（コマンド）を電子機器に無線で送信する。
【０００３】
通常、各電子機器には専用のリモコンが設けられるため、複数の電子機器を同時使用する場合にユーザがリモコンを使い分ける手間が生じる。そこで、近年では、複数の電子機器それぞれに対する操作指令を学習して複数の電子機器を操作可能な単一のリモコン（いわゆる、学習リモコン）が提供されている（例えば特許文献１参照）。
【０００４】
学習リモコンは、任意の電子機器に対する操作指令を任意のキーに割り付けることができ、ユーザは、複数のリモコンを使い分けることなく、１つの学習リモコンを用いて複数の電子機器を操作できる。
【先行技術文献】
【特許文献】
【０００５】
【特許文献１】特開２００２−２８１５７２号公報
【発明の概要】
【発明が解決しようとする課題】
【０００６】
しかしながら、複数の電子機器に対する操作を連続して行う場合、例えば、テレビ視聴開始時に映像表示機器の電源オン操作と周辺機器の電源オン操作とを連続して行うような場合、ユーザは、複数回の操作を連続して行う手間を強いられる。
【０００７】
上述した学習リモコンにおいては、複数のリモコンを使い分ける手間を省くことができるものの、上記のような複数回の操作を連続して行う手間を省略できない問題があった。
【０００８】
また、学習リモコンは、任意の電子機器に対する操作指令が任意のキーに割り付けられることから、キーと操作指令との対応付けをユーザが思い出す手間が生じ、必ずしもユーザの利便性が高くないという問題があった。
【０００９】
そこで、本発明は、同時使用される複数の電子機器を操作する場合において、ユーザの手間を更に省くことができる機器操作装置を提供することを目的とする。
【課題を解決するための手段】
【００１０】
上述した課題を解決するために、本発明は以下のような特徴を有している。まず、本発明の第１の特徴は、第１の電子機器（例えば映像表示機器３００）の操作に用いられ、前記第１の電子機器とは別体の機器操作装置（例えば機器操作装置１００Ａ、機器操作装置１００Ｂ、機器操作装置１００Ｃ、又は機器操作装置１００Ｄ）であって、前記第１の電子機器に対する操作の指令である第１の操作指令（例えば電源オン／オフ指令ＯＵＴ）と、前記第１の電子機器と同時使用される第２の電子機器（例えば周辺機器２００）に対する操作の指令である第２の操作指令（例えば電源オン／オフ指令ＩＮ）とを記憶する記憶部（例えばメモリ１５０）と、前記第２の電子機器用のリモートコントローラ（例えばリモコン２０）から前記第２の電子機器に対して無線で送信される信号を受信する受信部（例えば赤外線受信部１１０Ａ又は電波受信部１１０Ｂ）と、前記記憶部を参照して、前記受信部が前記第２の電子機器用のリモートコントローラから受信した信号から前記第２の操作指令を検出する検出部（例えばマイクロプロセッサ１４０）と、前記検出部が前記第２の操作指令を検出した場合、前記記憶部に記憶されている前記第１の操作指令を前記第１の電子機器に送信する送信部（例えば赤外線送信部１３０Ａ又は電波送信部１３０Ｂ）とを備えることを要旨とする。
【００１１】
このような特徴によれば、機器操作装置は、第２の電子機器用のリモートコントローラが無線により送信する信号を受信し、受信した信号から第２の操作指令を検出すると、第１の操作指令を第１の電子機器に送信する。
【００１２】
これにより、第２の電子機器に対して操作がなされるのと同時に、第１の電子機器に対する操作が自動で行われるため、ユーザは、第２の電子機器に対する１回の操作のみで第１の電子機器も操作でき、複数回の操作を連続して行う手間を省くことができる。
【００１３】
さらに、学習リモコンのような特殊なリモコンではなく、第２の電子機器用のリモートコントローラをそのまま使用できるため、キーと操作指令との対応付けをユーザが思い出す手間が生じず、ユーザの利便性を損なうことがない。
【００１４】
したがって、上記の特徴によれば、複数の電子機器が操作される場合において、ユーザの手間を更に省くことで利便性を高めることができる機器操作装置が提供される。
【００１５】
本発明の第２の特徴は、本発明の第１の特徴に係り、前記送信部は、前記第１の電子機器に対して前記第１の操作指令を無線で送信することを要旨とする。
【００１６】
本発明の第３の特徴は、本発明の第１又は第２の特徴に係り、前記第１の操作指令は、前記第１の電子機器の電源を投入と遮断とで切り換える操作の指令であり、前記第２の操作指令は、前記第２の電子機器の電源を投入と遮断とで切り換える操作の指令であることを要旨とする。
【００１７】
本発明の第４の特徴は、本発明の第１〜第３の何れかの特徴に係り、前記機器操作装置は、前記第１の電子機器及び前記第２の電子機器のそれぞれと別体に構成されることを要旨とする。
【００１８】
本発明の第５の特徴は、本発明の第１〜第３の何れかの特徴に係り、前記機器操作装置は、前記第１の電子機器とは別体であって、且つ、前記第２の電子機器に内蔵されていることを要旨とする。
【００１９】
本発明の第６の特徴は、本発明の第１〜第５の何れかの特徴に係り、それぞれユーザによってオン状態とオフ状態とが切り換えられる第１のスイッチ部（例えば出力設定用スイッチ部１２０ａ）及び第２のスイッチ部（例えば入力設定用スイッチ部１２０ｂ）を備え、前記記憶部は、前記第１のスイッチ部がオン状態である期間において前記受信部が前記第１の電子機器用のリモートコントローラから受信した信号を前記第１の操作指令として記憶し、前記第２のスイッチ部がオン状態である期間において前記受信部が前記第２の電子機器用のリモートコントローラから受信した信号を前記第２の操作指令として記憶することを要旨とする。
【発明の効果】
【００２０】
本発明によれば、同時使用される複数の電子機器を操作する場合において、ユーザの手間を更に省くことができる機器操作装置を提供できる。
【図面の簡単な説明】
【００２１】
【図１】本発明の第１実施形態に係る機器操作装置を含む全体システム構成を示す図である。
【図２】本発明の第１実施形態に係る機器操作装置の外観を示す斜視図である。
【図３】本発明の第１実施形態に係る機器操作装置の構成を示すブロック図である。
【図４】本発明の第１実施形態に係る機器操作装置の動作を示すフロー図である。
【図５】本発明の第２実施形態に係る機器操作装置を含む全体システム構成を示す図である。
【図６】本発明の第３実施形態に係る機器操作装置の構成を示すブロック図である。
【図７】本発明の第４実施形態に係る機器操作装置を含む全体システム構成を示す図である。
【発明を実施するための形態】
【００２２】
次に、図面を参照して、本発明の第１〜第４実施形態及びその他の実施形態を説明する。以下の実施形態における図面の記載において、同一又は類似の部分には同一又は類似の符号を付している。
【００２３】
［第１実施形態］
本発明の第１実施形態に係る機器操作装置について、（１）全体システム構成、（２）機器操作装置の構成、（３）機器操作装置の動作、（４）第１実施形態の効果の順で説明する。
【００２４】
（１）全体システム構成
図１は、第１実施形態に係る機器操作装置１００Ａを含む全体システム構成を示す図である。図１に示すシステムは、機器操作装置１００Ａ、周辺機器２００、映像表示機器３００、リモコン２０、及びリモコン３０を有する。
【００２５】
映像表示機器３００は、少なくとも映像を表示する電子機器であり、例えばテレビ受像機又はプロジェクタ等である。周辺機器２００は、映像表示機器３００と同時使用される電子機器であり、例えばテレビチューナである。第１実施形態において、映像表示機器３００は、機器操作装置１００Ａを用いて操作される第１の電子機器に相当し、周辺機器２００は、第１の電子機器と同時使用される第２の電子機器に相当する。
【００２６】
以下の説明においては、映像表示機器３００がアナログ方式のテレビ受像機であり、周辺機器２００が地上デジタル放送を受信及び再生するテレビチューナであるものする。アナログ方式のテレビ受像機は、単独では地上デジタル放送を受信及び再生できないため、地上デジタル放送を受信及び再生するテレビチューナを外部に接続する必要がある。
【００２７】
第１実施形態では、機器操作装置１００Ａは、映像表示機器３００及び周辺機器２００のそれぞれと別体に構成され、周辺機器２００に隣接して配置される。例えば、機器操作装置１００Ａは、周辺機器２００の付属品としてユーザに提供される。
【００２８】
リモコン２０は、周辺機器２００用のリモートコントローラである。リモコン２０には、周辺機器２００の電源を投入（以下、電源オン）と遮断（以下、電源オフ）とで切り換える操作のための電源オン／オフキー２０ａが設けられている。リモコン３０は、映像表示機器３００用のリモートコントローラである。リモコン３０には、映像表示機器３００を電源オンと電源オフとで切り換える操作のための電源オン／オフキー３０ａが設けられている。第１実施形態においてリモコン２０及びリモコン３０それぞれは、赤外線信号により操作指令を送信する無線（ワイヤレス）方式のリモートコントローラである。
【００２９】
周辺機器２００は、リモコン２０から送信される赤外線信号を受信する赤外線受信部２００ａを有する。映像表示機器３００は、リモコン３０から送信される赤外線信号を受信する赤外線受信部３００ａを有する。
【００３０】
（２）機器操作装置の構成
次に、機器操作装置１００Ａの構成について、図２及び図３を用いて説明する。図２は、機器操作装置１００Ａの外観を示す斜視図である。図３は、機器操作装置１００Ａの構成を示すブロック図である。
【００３１】
図２に示すように、機器操作装置１００Ａは、赤外線信号を受信する赤外線受信部１１０Ａが設けられた本体部１０１と、赤外線信号を送信する赤外線送信部１３０Ａとを接続ケーブル１０２により接続した構成である。
【００３２】
赤外線受信部１１０Ａは、リモコン２０から周辺機器２００に送信される赤外線信号を受信する。リモコン２０から周辺機器２００に送信される赤外線信号を確実に受信するために、機器操作装置１００Ａは、周辺機器２００の赤外線受信部２００ａの近傍に赤外線受信部１１０Ａが位置する状態で設置されることが好ましい。
【００３３】
赤外線送信部１３０Ａは、赤外線信号を映像表示機器３００の赤外線受信部３００ａに送信する。映像表示機器３００の赤外線受信部３００ａが赤外線送信部１３０Ａからの赤外線信号を確実に受信するために、赤外線送信部１３０Ａは、映像表示機器３００の赤外線受信部３００ａの近傍に設置されることが好ましい。
【００３４】
本体部１０１と赤外線送信部１３０Ａとは、接続ケーブル１０２を介して接続されており、周辺機器２００の設置位置と映像表示機器３００の設置位置とが離れていても、赤外線送信部１３０Ａを映像表示機器３００の赤外線受信部３００ａの近傍に設置可能である。
【００３５】
本体部１０１は、出力設定用スイッチ部１２０ａ及び入力設定用スイッチ部１２０ｂを有する。出力設定用スイッチ部１２０ａは、ユーザによってオン状態とオフ状態とが切り換えられる第１のスイッチ部に相当する。入力設定用スイッチ部１２０ｂは、ユーザによってオン状態とオフ状態とが切り換えられる第２のスイッチ部に相当する。例えば、入力設定用スイッチ部１２０ｂ及び出力設定用スイッチ部１２０ａそれぞれは、押下されている期間はオン状態になり、それ以外の期間はオフ状態になる。
【００３６】
機器操作装置１００Ａの本体部１０１は、図３に示すマイクロプロセッサ１４０、メモリ１５０、及び電力供給部１６０を有する。マイクロプロセッサ１４０は、メモリ１５０に記憶されている制御プログラムに従って動作し、機器操作装置１００Ａ全体を制御する。マイクロプロセッサ１４０には、入力設定用スイッチ部１２０ｂ及び出力設定用スイッチ部１２０ａから、オン状態／オフ状態を示す電気信号が入力される。
【００３７】
メモリ１５０は、マイクロプロセッサ１４０による制御等に用いられる制御プログラム及びデータ等を記憶する。メモリ１５０は、映像表示機器３００に対する操作の指令である第１の操作指令と、周辺機器２００に対する操作の指令である第２の操作指令とを記憶する。メモリ１５０は、第１の操作指令及び第２の操作指令を記憶する記憶部に相当する。
【００３８】
以下の説明においては、第１の操作指令は、映像表示機器３００を電源オンと電源オフとで切り換える操作の指令（以下、電源オン／オフ指令ＯＵＴと称する）であるとする。また、第２の操作指令は、周辺機器２００を電源オンと電源オフとで切り換える操作の指令（以下、電源オン／オフ指令ＩＮと称する）であるとする。
【００３９】
第１実施形態において赤外線受信部２００ａは、周辺機器２００（第２の電子機器）用のリモコン２０から周辺機器２００に対して送信される赤外線信号を受信する受信部に相当する。
【００４０】
マイクロプロセッサ１４０は、メモリ１５０を参照して、赤外線受信部１１０Ａが周辺機器２００用のリモコン２０から受信した赤外線信号から電源オン／オフ指令ＩＮを検出する。マイクロプロセッサ１４０は、電源オン／オフ指令ＩＮを検出する検出部に相当する。
【００４１】
赤外線送信部１３０Ａは、マイクロプロセッサ１４０が電源オン／オフ指令ＩＮを検出した場合、メモリ１５０に記憶されている電源オン／オフ指令ＯＵＴを赤外線信号により映像表示機器３００に送信する。第１実施形態において赤外線送信部１３０Ａは、電源オン／オフ指令ＯＵＴを映像表示機器３００（第１の電子機器）に対して赤外線信号により送信する送信部に相当する。
【００４２】
電力供給部１６０は、機器操作装置１００Ａの各ブロックに電源電力を供給する。電力供給部１６０としては、例えばＡＣアダプタ又は電池を使用できるが、ＵＳＢポートからの給電を利用してもよい。なお、電池としては太陽電池を使用してもよい。
【００４３】
マイクロプロセッサ１４０は、入力設定用スイッチ部１２０ｂがオン状態である期間においてリモコン２０から受信した信号を電源オン／オフ指令ＩＮとしてメモリ１５０に記憶する。すなわち、ユーザは、入力設定用スイッチ部１２０ｂを押下しながら、リモコン２０に設けられた電源オン／オフキー２０ａを押下することで電源オン／オフ指令ＩＮを機器操作装置１００Ａに登録できる。
【００４４】
また、マイクロプロセッサ１４０は、出力設定用スイッチ部１２０ａがオン状態である期間においてリモコン３０から受信した信号を電源オン／オフ指令ＯＵＴとしてメモリ１５０に記憶する。すなわち、ユーザは、出力設定用スイッチ部１２０ａを押下しながら、リモコン３０に設けられた電源オン／オフキー３０ｂを押下することで電源オン／オフ指令ＯＵＴを機器操作装置１００Ａに登録できる。
【００４５】
（３）機器操作装置の動作
次に、機器操作装置１００Ａの動作について、図４を用いて説明する。図４は、機器操作装置１００Ａの動作を示すフロー図である。
【００４６】
ステップＳ１において、赤外線受信部２００ａは、赤外線信号を受信し、受信した赤外線信号を電気信号に変換し、当該電気信号をマイクロプロセッサ１４０に入力する。マイクロプロセッサ１４０は、当該電気信号を一時的にメモリ１５０に記憶させる。
【００４７】
ステップＳ２において、マイクロプロセッサ１４０は、入力設定用スイッチ部１２０ｂがオン状態であるか否かを確認する。入力設定用スイッチ部１２０ｂがオン状態である場合には処理がステップＳ３に進み、入力設定用スイッチ部１２０ｂがオフ状態である場合には処理がステップＳ５に進む。
【００４８】
ステップＳ３において、マイクロプロセッサ１４０は、入力設定用スイッチ部１２０ｂがオフ状態になったか否かを確認する。入力設定用スイッチ部１２０ｂがオフ状態になった場合には処理がステップＳ４に進む。ステップＳ４において、マイクロプロセッサ１４０は、メモリ１５０に記憶させていた電気信号を電源オン／オフ指令ＩＮとしてメモリ１５０に記憶させる。
【００４９】
ステップＳ５において、マイクロプロセッサ１４０は、出力設定用スイッチ部１２０ａがオン状態であるか否かを確認する。出力設定用スイッチ部１２０ａがオン状態である場合には処理がステップＳ６に進み、出力設定用スイッチ部１２０ａがオフ状態である場合には処理がステップＳ８に進む。
【００５０】
ステップＳ６において、マイクロプロセッサ１４０は、出力設定用スイッチ部１２０ａがオフ状態になったか否かを確認する。出力設定用スイッチ部１２０ａがオフ状態になった場合には処理がステップＳ７に進む。ステップＳ７において、マイクロプロセッサ１４０は、メモリ１５０に記憶させていた電気信号を電源オン／オフ指令ＯＵＴとしてメモリ１５０に記憶させる。
【００５１】
ステップＳ８において、マイクロプロセッサ１４０は、赤外線受信部２００ａから入力された電気信号と、メモリ１５０に記憶されている電源オン／オフ指令ＩＮとがマッチングしたことを以て、電源オン／オフ指令ＩＮを検出する。電源オン／オフ指令ＩＮが検出された場合には処理がステップＳ９に進む。
【００５２】
ステップＳ９において、マイクロプロセッサ１４０は、電源オン／オフ指令ＯＵＴがメモリ１５０に記憶されているか否かを確認する。電源オン／オフ指令ＯＵＴがメモリ１５０に記憶されている場合には処理がステップＳ１０に進む。ステップＳ１０において、マイクロプロセッサ１４０は、電源オン／オフ指令ＯＵＴに対応する電気信号を赤外線送信部１３０Ａに入力する。赤外線送信部１３０Ａは、当該電気信号を赤外線信号に変換して送信する。
【００５３】
なお、本処理フローにおいて、ステップＳ２の処理は、ステップＳ５の処理の後に実行されてもよい。また、ステップＳ８の処理は、ステップＳ２の処理とステップＳ５の処理との間で実行されてもよく、ステップＳ２の処理の前に実行されてもよい。
【００５４】
（４）第１実施形態の効果
以上説明したように、機器操作装置１００Ａは、周辺機器２００用のリモコン２０からの赤外線信号を受信し、受信した信号から電源オン／オフ指令ＩＮを検出すると、電源オン／オフ指令ＯＵＴを映像表示機器３００に送信する。
【００５５】
これにより、周辺機器２００の電源オン／オフ操作がなされるのと同時に、映像表示機器３００の電源オン／オフ操作が自動で行われるため、ユーザは、周辺機器２００に対する１回の電源オン／オフ操作のみで映像表示機器３００の電源オン／オフも操作でき、複数回の電源オン／オフ操作を連続して行う手間を省くことができる。
【００５６】
さらに、学習リモコンのような特殊なリモコンではなく、周辺機器２００用のリモコン２０をそのまま使用できるため、ユーザの利便性を損なうことがない。したがって、第１実施形態に係る機器操作装置１００Ａによれば、周辺機器２００及び映像表示機器３００が操作される場合において、ユーザの手間を更に省くことで利便性を高めることができる。
【００５７】
特に、テレビチューナ用途のリモコン２０は、選局操作キー等を有していることが一般的であり、リモコン２０を用いて映像表示機器３００の電源がオンされれば、リモコン３０を使用することなく選局操作等を行うことができるため、リモコンを持ち替える手間も省くことができる。
【００５８】
第１実施形態では、機器操作装置１００Ａは周辺機器２００及び映像表示機器３００それぞれと別体に構成されるため、汎用性の高い機器操作装置１００Ａを提供できる。すなわち、周辺機器２００及び映像表示機器３００の組み合わせに限らず、赤外線通信可能な任意の電子機器に対して機器操作装置１００Ａを適用できる。
【００５９】
また、第１実施形態では、入力設定用スイッチ部１２０ｂ及び出力設定用スイッチ部１２０ａを用いて電源オン／オフ指令ＩＮ及び電源オン／オフ指令ＯＵＴをユーザが機器操作装置１００Ａに登録できるため、機器操作装置１００Ａの汎用性をより一層高めることができる。
【００６０】
［第２実施形態］
次に、本発明の第２実施形態に係る機器操作装置１００Ｂについて、図５を用いて説明する。なお、以下の第２〜第４実施形態においては、第１実施形態と異なる点のみ説明し、重複する説明を省略する。
【００６１】
図５は、第２実施形態に係る機器操作装置１００Ｂを含む全体システム構成を示す図である。
【００６２】
図５に示すように、機器操作装置１００Ｂが映像表示機器３００とは別体である点で第１実施形態と同じであるが、機器操作装置１００Ｂが周辺機器２００に内蔵されている点において第１実施形態とは異なる。機器操作装置１００Ｂは、周辺機器２００の電源から電源供給を受けることができる。このような構成においては、周辺機器２００の赤外線受信部２００ａと、機器操作装置１００Ｂの赤外線受信部１１０Ａとを同一部品としてもよい。
【００６３】
第１実施形態においては機器操作装置１００Ａを設置する手間が生じるが、第２実施形態によれば、周辺機器２００に機器操作装置１００Ｂが内蔵されているため、そのような手間を省くことができる。
【００６４】
［第３実施形態］
次に、本発明の第３実施形態に係る機器操作装置１００Ｃについて、図６を用いて説明する。図６は、機器操作装置１００Ｃの構成を示すブロック図である。
【００６５】
図６に示すように、機器操作装置１００Ｂでは、マイクロプロセッサ１４０、メモリ１５０、電力供給部１６０、入力設定用スイッチ部１２０ｂ、及び出力設定用スイッチ部１２０ａは第１実施形態と同じであるが、赤外線受信部１１０Ａ及び赤外線送信部１３０Ａに代えて電波受信部１１０Ｂ及び電波送信部１３０Ｂを有する点において第１実施形態とは異なる。
【００６６】
近年では、２．４ＧＨｚ帯等の電波信号により操作指令を送信する電波式のリモコンが普及し始めている。第３実施形態においてリモコン２０及びリモコン３０は、電波信号により操作指令を送信する無線（ワイヤレス）方式のリモートコントローラである。このようなケースでは、機器操作装置１００Ｃが、電波信号を受信する電波受信部１１０Ｂと、電波信号を送信する電波送信部１３０Ｂとを具備する必要がある。
【００６７】
電波受信部１１０Ｂは、電波信号を受信し、受信した電波信号を電気信号に変換し、当該電気信号をマイクロプロセッサ１４０に入力する。電波送信部１３０Ｂは、マイクロプロセッサ１４０から入力された電気信号を電波信号に変換して送信する。
【００６８】
電波信号は、赤外線信号とは異なり、送受信間に遮蔽物が存在しても通信可能である。したがって、第３実施形態に係る機器操作装置１００Ｃは、必ずしも周辺機器２００に隣接して設置することを要さず、且つ、第１実施形態のような接続ケーブル１０２を使用せずに電波送信部１３０Ｂを本体部１０１に設けることができるため、設置の自由度を向上させることができる。
【００６９】
［第４実施形態］
次に、本発明の第４実施形態に係る機器操作装置１００Ｄについて、図７を用いて説明する。図７は、機器操作装置１００Ｄを含む全体システム構成を示す図である。
【００７０】
図７に示すように、第３実施形態に係る機器操作装置１００Ｄでは、複数の電子機器に対して電源オン／オフ指令ＯＵＴを送信可能とするために、赤外線送信部１３０Ａを複数有している点において第１実施形態とは異なる。また、機器操作装置１００Ｄは、複数の電子機器に対する電源オン／オフ指令ＯＵＴを設定するために、複数の出力設定用スイッチ１２０ａ，１２０ｃを有している。
【００７１】
第４実施形態によれば、周辺機器２００の電源オン／オフ操作がなされるのと同時に、複数の電子機器に対する操作が自動で行われるため、ユーザは、周辺機器２００に対する１回の電源オン／オフ操作のみで複数の電子機器を操作できる。
【００７２】
［その他の実施形態］
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【００７３】
例えば、上述した第１〜第４実施形態は、それぞれ個別に実施する場合に限らず、第１〜第４実施形態の少なくとも２つを組み合わせて実施してもよい。
【００７４】
また、上述した実施形態においては、リモコン２０からの信号を周辺機器２００又は機器操作装置１００Ａ（機器操作装置１００Ｂ、機器操作装置１００Ｃ、機器操作装置１００Ｄ）の何れか一方が受信できなかった場合には、周辺機器２００と映像表示機器３００とで状態の不一致が生じる。すなわち、周辺機器２００及び映像表示機器３００の一方が電源オンであるにも拘わらず、他方が電源オフになる。このような不具合に対する対策として、機器操作装置１００Ａを強制的に一時停止（ディセーブル）させる機構又は操作指令を設けてもよい。
【００７５】
上述した実施形態においては、機器操作装置１００Ａ、機器操作装置１００Ｂ、機器操作装置１００Ｃ又は機器操作装置１００Ｄを用いて操作される第１の電子機器が映像表示機器３００であった。しかしながら、機器操作装置１００Ａ、機器操作装置１００Ｂ、機器操作装置１００Ｃ又は機器操作装置１００Ｄを用いて操作される第１の電子機器を周辺機器２００とし、映像表示機器３００を第２の電子機器としてもよい。さらに、第１の電子機器をオーディオ機器とし、第２の電子機器をオーディオ機器の周辺機器としてもよく、第１の電子機器をパーソナルコンピュータ（ＰＣ）とし、第２の電子機器をＰＣの周辺機器としてもよい。
【００７６】
上述した実施形態では、入力設定用スイッチ部１２０ｂ及び出力設定用スイッチ部１２０ａとして機械式スイッチ（押しボタン）を例示したが、オン状態とオフ状態とが切り替え可能なものでればよく、機械式スイッチに限定されない。
【００７７】
また、上述した実施形態では、メモリ１５０が記憶する第１の操作指令及び第２の操作指令が電源オン／オフ指令である場合を例示したが、電源オン／オフ指令に限らず、入力信号の切り換え操作の指令等、他の操作指令を第１の操作指令及び第２の操作指令としてメモリ１５０に記憶させてもよい。これらを複数組み合わせて指令できる構成にしてもよい。例えば、周辺機器２００に対する電源オン／オフ指令を受信及び検出した場合に、映像表示機器３００に対する電源オン／オフ指令と入力信号切り換え指令との組み合わせを出力するようにしてもよい。
【００７８】
さらに、入力設定用スイッチ部１２０ｂ及び出力設定用スイッチ部１２０ａを用いてメモリ１５０に電源オン／オフ指令ＩＮ及び電源オン／オフ指令ＯＵＴを記憶させる場合を例示したが、電源オン／オフ指令ＩＮ及び電源オン／オフ指令ＯＵＴがメモリ１５０に予め記憶（プリセット）されていてもよい。この場合、複数の電源オン／オフ指令ＩＮ及び複数の電源オン／オフ指令ＯＵＴをメモリ１５０にプリセットしておき、１つのスイッチ部を用いて電源オン／オフ指令ＩＮ及び電源オン／オフ指令ＯＵＴを選択する構成としてもよい。
【００７９】
上述した実施形態では、電源オン／オフ指令ＯＵＴを赤外線信号又は電波信号により映像表示機器３００に無線（ワイヤレス）で送信する構成を例示したが、電源オン／オフ指令ＯＵＴを無線で送信する構成に限らず、有線で送信してもよい。この場合、ＨＤＭＩ（High-Definition Multimedia Interface）等のプロトコルを電源オン／オフ指令ＯＵＴの送信に使用してもよい。
【００８０】
このように本発明は、ここでは記載していない様々な実施形態等を包含するということを理解すべきである。したがって、本発明はこの開示から妥当な特許請求の範囲の発明特定事項によってのみ限定されるものである。
【符号の説明】
【００８１】
１００Ａ，１００Ｂ，１００Ｃ，１００Ｄ…機器操作装置、１０１…本体部、１０２…接続ケーブル、１１０Ａ…赤外線受信部、１１０Ｂ…電波受信部、１２０ａ，１２０ｃ…出力設定用スイッチ部、１２０ｂ…入力設定用スイッチ部、１３０Ａ…赤外線送信部、１３０Ｂ…電波送信部、１４０…マイクロプロセッサ、１５０…メモリ、１６０…電力供給部、２００…周辺機器、２００ａ…赤外線受信部、３００…映像表示機器、３００ａ…赤外線受信部
【図１】
2011071664.tif 000003
【図２】
2011071664.tif 000004
【図３】
2011071664.tif 000005
【図４】
2011071664.tif 000006
【図５】
2011071664.tif 000007
【図６】
2011071664.tif 000008
【図７】
2011071664.tif 000009